【手続補正書】
【提出日】平成20年1月16日(2008.1.16)
【手続補正１】
【補正対象書類名】明細書
【補正対象項目名】特許請求の範囲
【補正方法】変更
【補正の内容】
【特許請求の範囲】
【請求項１】
周波数及び変調内容が同一のＯＦＤＭデジタル信号を中継伝送するＯＦＤＭデジタル信号中継装置であって、
前記ＯＦＤＭデジタル信号の送信波を受信する複数の受信アンテナと、
前記複数の受信アンテナで受信された複数系統の受信信号を系統毎にベースバンドデジタル信号に変換する手段と、
前記複数系統の受信信号それぞれに対応したＦＩＲフィルタを備え、前記変換された複数系統のベースバンドデジタル信号を、系統毎に求められる伝送路の周波数応答から算出されるダイバーシティ合成用の重み付け係数に基づいて前記ＦＩＲフィルタ毎に算出されるフィルタ係数によりフィルタ処理することによって、各系統のベースバンドデジタル信号の周波数特性を適応的に変更する手段と、
前記ＦＩＲフィルタ通過後の各系統のベースバンドデジタル信号をダイバーシティ合成して１系統のベースバンドデジタル信号を生成する手段と、
前記生成された１系統のベースバンドデジタル信号を所望送信周波数のＯＦＤＭデジタル信号送信波に変換する手段と、
を備えたことを特徴とするＯＦＤＭデジタル信号中継装置。
【請求項２】
異なる周波数で送られてきた同一変調内容の複数のＯＦＤＭデジタル信号を中継伝送するＯＦＤＭデジタル信号中継装置であって、
前記変調内容が同一でも周波数が異なる複数のＯＦＤＭデジタル信号の送信波を受信する１以上の受信アンテナと、
前記１以上の受信アンテナで受信された周波数が異なる複数のＯＦＤＭデジタル信号をバンドパスフィルタによって所望の周波数帯域の受信信号成分に分波する手段と、
前記分波された複数系統の受信信号を系統毎にベースバンドデジタル信号に変換する手段と、
前記複数系統の受信信号それぞれに対応したＦＩＲフィルタを備え、前記変換された複数系統のベースバンドデジタル信号を、系統毎に求められる伝送路の周波数応答から算出されるダイバーシティ合成用の重み付け係数に基づいて前記ＦＩＲフィルタ毎に算出されるフィルタ係数によりフィルタ処理することによって、各系統のベースバンドデジタル信号の周波数特性を適応的に変更する手段と、
前記ＦＩＲフィルタ通過後の各系統のベースバンドデジタル信号をダイバーシティ合成して１系統のベースバンドデジタル信号を生成する手段と、
前記生成された１系統のベースバンドデジタル信号を所望送信周波数のＯＦＤＭデジタル信号送信波に変換する手段と、
を備えたことを特徴とするＯＦＤＭデジタル信号中継装置。
【請求項３】
前記ＦＩＲフィルタのフィルタ係数をそれぞれ演算するフィルタ係数演算手段として、
前記複数系統のベースバンドデジタル信号を入力して系統毎の伝送路の周波数応答を求める伝送路応答演算回路と、
求められた系統毎の伝送路の周波数応答に基づきダイバーシティ合成用のキャリア毎の重み付け係数を演算する周波数重み付け係数演算回路と、
求められた重み付け係数に基づき、系統別に適応的に重み付けされた各フィルタ係数を求めて前記ＦＩＲフィルタにそれぞれ出力するフィルタ係数演算回路と、
を備えたことを特徴とする請求項１または２に記載のＯＦＤＭデジタル信号中継装置。
【請求項４】
ＯＦＤＭデジタル信号を中継伝送するＯＦＤＭデジタル信号中継装置であって、
前記ＯＦＤＭデジタル信号の送信波を受信する受信アンテナと、
前記受信アンテナで受信された受信信号をベースバンドデジタル信号に変換する手段と、
前記ベースバンドデジタル信号を入力して伝送路の周波数応答を求める伝送路応答演算回路と、求められた伝送路の周波数応答に基づき重み付け係数を演算する周波数重み付け係数演算回路と、求められた重み付け係数に基づき、適応的に重み付けされたフィルタ係数を求めるフィルタ係数演算回路とを有するフィルタ係数演算手段と、
ＦＩＲフィルタを備え、前記変換されたベースバンドデジタル信号を、前記フィルタ係数演算手段で求められたフィルタ係数によりフィルタ処理することによって、ベースバンドデジタル信号の周波数特性を適応的に変更する手段と、
前記周波数特性が適応的に変更されたベースバンドデジタル信号を所望送信周波数のＯＦＤＭデジタル信号送信波に変換する手段と、
を備えたことを特徴とするＯＦＤＭデジタル信号中継装置。
【手続補正２】
【補正対象書類名】明細書
【補正対象項目名】０００３
【補正方法】変更
【補正の内容】
【０００３】
【従来の技術】
一般に、デジタル信号の中継は、中継装置において受信デジタル信号を復調し、ビット判定を行い、再び変調して送信するような再生中継を採用している。しかし、再生中継を行わない場合、即ち、非再生中継の場合、ＯＦＤＭデジタル信号の非再生中継では、例えば図４に示すような中継方法が行われている。
【手続補正３】
【補正対象書類名】明細書
【補正対象項目名】０００５
【補正方法】変更
【補正の内容】
【０００５】
なお、ＯＦＤＭデジタル信号の中継では、周波数及び変調内容が同一である場合と変調内容は同一であるが周波数が異なる場合とがある。
【手続補正４】
【補正対象書類名】明細書
【補正対象項目名】００１０
【補正方法】変更
【補正の内容】
【００１０】
【課題を解決するための手段】
上記目的を達成するために、本発明のＯＦＤＭデジタル信号中継装置は、周波数及び変調内容が同一のＯＦＤＭデジタル信号を中継伝送するＯＦＤＭデジタル信号中継装置であって、前記ＯＦＤＭデジタル信号の送信波を受信する複数の受信アンテナと、前記複数の受信アンテナで受信された複数系統の受信信号を系統毎にベースバンドデジタル信号に変換する手段と、前記複数系統の受信信号それぞれに対応したＦＩＲフィルタを備え、前記変換された複数系統のベースバンドデジタル信号を、系統毎に求められる伝送路の周波数応答から算出されるダイバーシティ合成用の重み付け係数に基づいて前記ＦＩＲフィルタ毎に算出されるフィルタ係数によりフィルタ処理することによって、各系統のベースバンドデジタル信号の周波数特性を適応的に変更する手段と、前記ＦＩＲフィルタ通過後の各系統のベースバンドデジタル信号をダイバーシティ合成して１系統のベースバンドデジタル信号を生成する手段と、前記生成された１系統のベースバンドデジタル信号を所望送信周波数のＯＦＤＭデジタル信号送信波に変換する手段と、を備えたことを特徴としている。
【手続補正５】
【補正対象書類名】明細書
【補正対象項目名】００１１
【補正方法】変更
【補正の内容】
【００１１】
また、本発明のＯＦＤＭデジタル信号中継装置は、異なる周波数で送られてきた同一変調内容の複数のＯＦＤＭデジタル信号を中継伝送するＯＦＤＭデジタル信号中継装置であって、前記変調内容が同一でも周波数が異なる複数のＯＦＤＭデジタル信号の送信波を受信する１以上の受信アンテナと、前記１以上の受信アンテナで受信された周波数が異なる複数のＯＦＤＭデジタル信号をバンドパスフィルタによって所望の周波数帯域の受信信号成分に分波する手段と、前記分波された複数系統の受信信号を系統毎にベースバンドデジタル信号に変換する手段と、前記複数系統の受信信号それぞれに対応したＦＩＲフィルタを備え、前記変換された複数系統のベースバンドデジタル信号を、系統毎に求められる伝送路の周波数応答から算出されるダイバーシティ合成用の重み付け係数に基づいて前記ＦＩＲフィルタ毎に算出されるフィルタ係数によりフィルタ処理することによって、各系統のベースバンドデジタル信号の周波数特性を適応的に変更する手段と、前記ＦＩＲフィルタ通過後の各系統のベースバンドデジタル信号をダイバーシティ合成して１系統のベースバンドデジタル信号を生成する手段と、前記生成された１系統のベースバンドデジタル信号を所望送信周波数のＯＦＤＭデジタル信号送信波に変換する手段と、を備えたことを特徴としている。
【手続補正６】
【補正対象書類名】明細書
【補正対象項目名】００１９
【補正方法】変更
【補正の内容】
【００１９】
送信部３は、信号合成回路２２の出力をアナログ信号に変換するＤ／Ａ変換器３１と、Ｄ／Ａ変換器３１の出力をＲＦ送信信号に変換するアップコンバータ（Ｕｐ／ｃｏｎ）３２と、ＲＦ送信信号のチャンネル（ＣＨ）を変換するチャンネル変換器（ＣＨ変換器）３３と、ＣＨ変換器３３の出力を所定レベルに増幅する増幅器３４と、増幅器３４で増幅されたＯＦＤＭデジタル信号の送信電波を送出する送信アンテナ３５とを備えている。なお、ＳＦＮの場合は中継局受信の周波数と同じ送信周波数なので、ＣＨ変換器３３は使用しない。
【手続補正７】
【補正対象書類名】明細書
【補正対象項目名】００２７
【補正方法】変更
【補正の内容】
【００２７】
有効シンボル長Tu、キャリア数ＫのＯＦＤＭデジタル信号の変復調は、サンプリングクロックfsにより、分点数Noの逆離散フーリエ変換（ＩＤＦＴ、ＩＦＦＴ）と分点数Noの離散フーリエ変換（ＤＦＴ、ＦＦＴ）によって行われる。
【手続補正８】
【補正対象書類名】明細書
【補正対象項目名】００３２
【補正方法】変更
【補正の内容】
【００３２】
ＳＦＮ（Single Frequency Network）では、サービスエリア内の全ての送信局は、同一周波数で同一内容のＯＦＤＭ変調波を送信している。したがって、中継局は、中継伝送する送受信信号の周波数を同一にする必要がある。
【手続補正９】
【補正対象書類名】明細書
【補正対象項目名】００７９
【補正方法】変更
【補正の内容】
【００７９】
即ち、第１〜第３の実施形態で示す受信部１において、L個の異なる送信周波数で送信されてきた同一変調内容のＯＦＤＭデジタル信号を、１以上の受信アンテナで受信し、バンドパスフィルタによって分波し、系統数Ｌのダウンコンバータにそれぞれ入力するようにする。そして、系統数Ｌのダウンコンバータに同期回路部４から異なる周波数のローカル信号を入力して、系統数Ｌの複素ベースバン信号に変換する。以降は、第１〜第３の実施形態と同様である。
これにより、変調内容は同一であるが、周波数が異なる複数のＯＦＤＭデジタル信号の中継伝送を、第１〜第３の実施形態と同様の効果を奏しつつ実施することができる。